(57)【要約】【課題】ＩＣチップに対する情報の書き込み及び読み出しができなくなる可能性を低減する。【解決手段】  帯状の樹脂シート２０上に、非接触状態で少なくとも情報の読み出しが可能なＩＣチップが搭載されてなるスレッドであって、樹脂シート２０上に複数のＩＣチップ１０ａ，１０ｂを搭載する。【選択図】図１
2005209104.tif 000002
【特許請求の範囲】
【請求項１】
帯状のシート基材上に、非接触状態で少なくとも情報の読み出しが可能なＩＣチップが搭載されてなるスレッドであって、
前記ＩＣチップが、前記シート基材上に複数搭載されているスレッド。
【請求項２】
請求項１に記載のスレッドにおいて、
前記複数のＩＣチップは、前記シート基材上の長手方向中心線を中心として対象となるように当該シート基材上に搭載されていることを特徴とするスレッド。
【請求項３】
請求項１または請求項２に記載のスレッドにおいて、
前記複数のＩＣチップは、前記シート基材の表裏のそれぞれに少なくとも１つ配置されるように当該シート基材上に搭載されていることを特徴とするスレッド。
【請求項４】
請求項１乃至３のいずれか１項に記載のスレッドが組み込まれたシート。
【発明の詳細な説明】
【技術分野】
【０００１】
本発明は、有価証券や紙幣等に貼付されたり漉き込まれたりし、これらの真贋判定に用いられるスレッド及びそれが組み込まれたシートに関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、スレッドと呼ばれる部材を有価証券や紙幣に貼付したり漉き込んだりし、それにより、有価証券や紙幣の偽造防止を図る技術が考えられている。この技術においては、プラスチックフィルムや薄葉紙等が数ｍｍ程度の細幅に断裁されてなるスレッドを、有価証券や紙幣の表面から露出しないように、あるいは一部が表面から露出するように有価証券や紙幣の紙層に漉き込んでおき、このスレッドの有無によって、有価証券や紙幣の真贋判定が行われることになる。
【０００４】
さらに、近年においては、ＩＣチップが搭載されたスレッドを用いて有価証券や紙幣の真贋判定を行う技術が考えられている。この技術においては、数ｍｍ程度の細幅に断裁されたフィルムの片面に１個の微細なＩＣチップが接着されてなるスレッドを有価証券や紙幣の紙層に漉き込んでおき、有価証券や紙幣の使用時に、ＩＣチップに書き込まれた情報を読み出すことによって、有価証券や紙幣の真贋判定を行うことになる（例えば、特許文献１参照。）。
【特許文献１】特開２００２−３１９００６号公報
【発明の開示】
【発明が解決しようとする課題】
【０００５】
しかしながら、上述したようなスレッドにおいては、数ｍｍ程度の細幅に断裁されたフィルムの片面に１個のＩＣチップが接着されているだけであるため、このＩＣチップが動作不良のものである場合や、このスレッドが有価証券や紙幣等のシートに組み込まれる際等にＩＣチップが破損してしまった場合、ＩＣチップに対する情報の書き込み及び読み出しが不可能となり、有価証券や紙幣等の真贋判定を行うことができなくなってしまうという問題点がある。
【０００６】
また、このスレッドが組み込まれた有価証券や紙幣等の真贋判定は、ＩＣチップに対して情報の書き込み及び読み出しを行う情報書込／読出装置を微細なＩＣチップに近接させることによって行うことになるため、有価証券や紙幣等の真贋判定を行う場合に、情報書込／読出装置のＩＣチップに対する設置位置に大きな制約が生じてしまうという問題点がある。
【０００７】
本発明は、上述したような従来の技術が有する問題点に鑑みてなされたものであって、ＩＣチップに対する情報の書き込み及び読み出しができなくなる可能性を低減することができるスレッド及びこれが組み込まれたシートを提供することを目的とする。また、このスレッドが組み込まれた有価証券や紙幣等の真贋判定を行う場合に、情報書込／読出装置の設置位置において生じる制約を低減することができるスレッド及びこれが組み込まれたシートを提供することを目的とする。
【課題を解決するための手段】
【０００８】
上記目的を達成するために本発明は、
帯状のシート基材上に、非接触状態で少なくとも情報の読み出しが可能なＩＣチップが搭載されてなるスレッドであって、
前記ＩＣチップが、前記シート基材上に複数搭載されている。
【０００９】
また、前記複数のＩＣチップは、前記シート基材上の長手方向中心線を中心として対象となるように当該シート基材上に搭載されていることを特徴とする。
【００１０】
また、前記複数のＩＣチップは、前記シート基材の表裏のそれぞれに少なくとも１つ配置されるように当該シート基材上に搭載されていることを特徴とする。
【００１１】
上記のように構成された本発明においては、帯状のシート基材上に搭載されたＩＣチップに対して情報の書き込みあるいは読み出しを行う場合、ＩＣチップに対して情報の書き込み及び読み出しを行う情報書込／読出装置を、シート基材上に搭載された複数のＩＣチップのうちどのＩＣチップに近接させても情報の書き込みあるいは読み出しが可能となる。そのため、シート基材上に搭載された複数のＩＣチップのうちどれかが動作不良のものである場合や、このスレッドが有価証券や紙幣等のシートに組み込まれる際等にＩＣチップが破損してしまった場合においても、他のＩＣチップに対する情報の書き込み及び読み出しは可能であり、それにより、このスレッドが組み込まれた有価証券や紙幣等の真贋判定を行うことができる。
【００１２】
また、複数のＩＣチップが、帯状のシート基材の長手方向中心線を中心として互いに対象となるようにシート基材上に搭載されている場合は、スレッドの長手方向両端部から等しい距離にＩＣチップが存在することになるため、情報書込／読出装置の設置位置をスレッドの長手方向一端からＩＣチップが搭載された領域までの距離に合わせておけば、スレッドがどのような向きで有価証券や紙幣等に組み込まれてもＩＣチップに対する情報の書き込み及び読み出しが可能となり、有価証券や紙幣等の真贋判定を行うことができる。
【００１３】
また、複数のＩＣチップが、シート基材の表裏のそれぞれに少なくとも１つ配置されるようにシート基材上に搭載されている場合においては、このスレッドが組み込まれた有価証券や紙幣等の真贋判定を行う場合に、情報書込／読出装置の設置位置において生じる制約が低減する。
【発明の効果】
【００１４】
以上説明したように本発明においては、帯状のシート基材上に複数のＩＣチップが搭載されているため、シート基材上に搭載された複数のＩＣチップのうちどれかが動作不良のものである場合や、このスレッドが有価証券や紙幣等のシートに組み込まれる際等にＩＣチップが破損してしまった場合においても、他のＩＣチップに対する情報の書き込み及び読み出しは可能であり、それにより、このスレッドが組み込まれた有価証券や紙幣等の真贋判定を行うことができる。
【００１５】
また、複数のＩＣチップが、帯状のシート基材の長手方向中心線を中心として対象となるようにシート基材上に搭載されているものにおいては、スレッドの長手方向両端部から等しい距離にＩＣチップが存在することになるため、情報書込／読出装置の設置位置をスレッドの長手方向一端からＩＣチップが搭載された領域までの距離に合わせておけば、スレッドがどのような向きで有価証券や紙幣等に組み込まれてもＩＣチップに対する情報の書き込み及び読み出しが可能となり、有価証券や紙幣等の真贋判定を行うことができる。
【００１６】
また、複数のＩＣチップが、シート基材の表裏のそれぞれに少なくとも１つ配置されるようにシート基材上に搭載されているものにおいては、このスレッドが組み込まれた有価証券や紙幣等の真贋判定を行う場合に、情報書込／読出装置の設置位置において生じる制約を低減することができる。
【発明を実施するための最良の形態】
【００１７】
以下に、本発明の実施の形態について図面を参照して説明する。
【００１８】
（第１の実施の形態）
図１は、本発明のスレッドの第１の実施の形態を示す図であり、（ａ）は上面図、（ｂ）は（ａ）に示したＡ−Ａ’断面図である。
【００１９】
本形態は図１に示すように、シート基材である帯状の樹脂シート２０上に、２つのＩＣチップ１０ａ，１０ｂが搭載されて構成されている。なお、樹脂シート２０の材質としては、ＰＥＴやＰＥＴ−ＧやＰＶＣ等が考えられる。また、ＩＣチップ１０ａ，１０ｂにおいては、非接触状態にて情報の読み出しが可能なものであって、外部に設けられた情報書込／読出装置に近接させることにより、ＩＣチップ１０ａ，１０ｂに書き込まれた情報が読み出される。さらに、この２つのＩＣチップ１０ａ，１０ｂは、樹脂シート２０の長手方向中心線を中心として互いに対象となるように樹脂シート２０の一方の面にそれぞれ搭載されている。
【００２０】
また、ＩＣチップ１０ａ，１０ｂは、接着剤（不図示）によって樹脂シート２０に接着されているが、その接着方法としては、樹脂シート２０のＩＣチップ１０ａ，１０ｂが搭載される領域のみに接着剤を塗布しておき、接着剤が塗布された領域にＩＣチップ１０ａ，１０ｂを搭載する方法や、樹脂シート２０のＩＣチップ１０ａ，１０ｂが搭載される面の全面に接着剤を塗布しておき、その後、樹脂シート２０上にＩＣチップ１０ａ，１０ｂを搭載する方法が考えられる。また、樹脂シート２０上にＩＣチップ１０ａ，１０ｂを固定するための接着剤としては、ホットメルト糊等の熱可塑性接着剤や、紫外線を照射することにより溶融する紫外線硬化型接着剤等が考えられ、熱可塑性接着剤を用いた場合は、樹脂シート２０上にＩＣチップ１０ａ，１０ｂを搭載した際に樹脂シート２０に対してＩＣチップ１０ａ，１０ｂを加圧しながら加熱することにより接着剤を溶融させて樹脂シート２０とＩＣチップ１０ａ，１０ｂとを接着し、また、紫外線硬化型接着剤を用いた場合は、樹脂シート２０上にＩＣチップ１０ａ，１０ｂを搭載した際に樹脂シート２０に対してＩＣチップ１０ａ，１０ｂを加圧しながら、樹脂シート２０のＩＣチップ１０ａ，１０ｂが搭載される面とは反対側の面から紫外線を照射することにより接着剤を溶融させて樹脂シート２０とＩＣチップ１０ａ，１０ｂとを接着する。ただし、紫外線硬化型接着剤を上述したように用いる場合は、樹脂シート２０を、紫外線を透過する材料から構成する必要がある。
【００２１】
上記のように構成されたスレッドにおいては、例えば、一方の面に接着剤（不図示）が塗布され、有価証券や紙幣等に貼付されて利用される。
【００２２】
スレッドが貼付された有価証券や紙幣等を、上述した情報書込／読出装置に近接させると、例えば、ＩＣチップ１０ａ，１０ｂに書き込まれた情報が読み出され、読み出された情報に基づいて、有価証券や紙幣等の真贋判定が行われることになる。なお、ＩＣチップ１０ａ，１０ｂにおいては、上述したようにＩＣチップ１０ａ，１０ｂに書き込まれた情報のみによって真贋判定が行われる場合、ＩＣチップ１０ａ，１０ｂに書き込まれた情報が非接触状態にて読み出される構成であればよいが、さらに、情報書込／読出装置に近接させることにより非接触状態にて情報の書き込みが可能な構成を有するものであってもよい。
【００２３】
また、図１に示したようなスレッドを有価証券や紙幣等に貼付するのではなく、有価証券や紙幣の紙層内にスレッドを漉き込んで使用することも考えられる。その場合、例えば、多槽式円網抄紙機を用いて少なくとも２層の紙層から製造される抄紙を有価証券や紙幣等として使用し、有価証券や紙幣等の製造時に紙層間にスレッドを漉き込んでおく。このようにスレッドが漉き込まれた有価証券や紙幣等においても、上述したものと同様にして利用される。また、複数の紙が積層されてなる有価証券や紙幣等においても、積層される紙の間にスレッドを挟み込んで使用することも考えられる。
【００２４】
また、有価証券や紙幣等に凹部を形成しておき、図１に示したようなスレッドをこの凹部に嵌め込むことも考えられる。このようにスレッドが嵌め込まれた有価証券や紙幣等においても、上述したものと同様にして利用される。
【００２５】
なお、図１に示したようなスレッドは、上述したように有価証券や紙幣等に限らず、シート状のものに対して、上述したように貼付されたり、漉き込まれたり、挟み込まれたり、あるいは嵌め込まれたりすることにより、シートに組み込まれて使用される。
【００２６】
上述したように本形態においては、樹脂シート２０に２つのＩＣチップ１０ａ，１０ｂが搭載されているため、ＩＣチップ１０ａ，１０ｂのうち一方が動作不良のものであった場合や、このスレッドを有価証券や紙幣等に組み込む際にＩＣチップ１０ａ，１０ｂのうち一方が破損してしまった場合であっても、ＩＣチップ１０ａ，１０ｂのうち他方のＩＣチップに対する情報の書き込み及び読み出しは可能であり、それにより、有価証券や紙幣等の真贋判定を行うことができる。また、２つのＩＣチップ１０ａ，１０ｂが、帯状の樹脂シート２０の長手方向中心線を中心として対象となるように樹脂シート２０上に搭載されているので、スレッドの長手方向両端部から等しい距離にＩＣチップ１０ａ，１０ｂが存在することになり、それにより、情報書込／読出装置の設置位置をスレッドの長手方向一端からＩＣチップ１０ａ，１０ｂのいずれか近い方までの距離に合わせておけば、スレッドがどのような向きで有価証券や紙幣等に組み込まれてもＩＣチップ１０ａ，１０ｂのいずれか一方に対する情報の書き込み及び読み出しが可能となり、有価証券や紙幣等の真贋判定を行うことができる。
【００２７】
（第２の実施の形態）
図２は、本発明のスレッドの第２の実施の形態を示す図であり、（ａ）は上面図、（ｂ）は（ａ）に示したＡ−Ａ’断面図である。
【００２８】
本形態は図２に示すように、シート基材である帯状の樹脂シート１２０の一方の面にＩＣチップ１１０ａが搭載され、また、樹脂シート１２０の他方の面にＩＣチップ１１０ｂが搭載されて構成されている。なお、樹脂シート１２０の材質としては、ＰＥＴやＰＥＴ−ＧやＰＶＣ等が考えられる。また、ＩＣチップ１１０ａ，１１０ｂにおいては、非接触状態にて情報の読み出しが可能なものであって、外部に設けられた情報書込／読出装置に近接させることにより、ＩＣチップ１１０ａ，１１０ｂに書き込まれた情報が読み出される。さらに、この２つのＩＣチップ１１０ａ，１１０ｂは、樹脂シート１２０の長手方向中心線を中心として互いに対象となるように樹脂シート１２０の互いに異なる面にそれぞれ搭載されている。
【００２９】
また、ＩＣチップ１１０ａ，１１０ｂは、接着剤（不図示）によって樹脂シート１２０に接着されているが、その接着方法としては、樹脂シート１２０のＩＣチップ１１０ａ，１１０ｂが搭載される領域のみに接着剤を塗布しておき、接着剤が塗布された領域にＩＣチップ１１０ａ，１１０ｂを搭載する方法や、樹脂シート１２０の両面の全面に接着剤を塗布しておき、その後、樹脂シート１２０上にＩＣチップ１１０ａ，１１０ｂを搭載する方法が考えられる。また、樹脂シート１２０上にＩＣチップ１１０ａ，１１０ｂを固定するための接着剤としては、ホットメルト糊等の熱可塑性接着剤や、紫外線を照射することにより溶融する紫外線硬化型接着剤等が考えられ、熱可塑性接着剤を用いた場合は、樹脂シート１２０上にＩＣチップ１１０ａ，１１０ｂを搭載した際に樹脂シート１２０に対してＩＣチップ１１０ａ，１１０ｂを加圧しながら加熱することにより接着剤を溶融させて樹脂シート１２０とＩＣチップ１１０ａ，１１０ｂとを接着し、また、紫外線硬化型接着剤を用いた場合は、樹脂シート１２０上にＩＣチップ１１０ａ，１１０ｂを搭載した際に樹脂シート１２０に対してＩＣチップ１１０ａ，１１０ｂを加圧しながら、樹脂シート１２０のＩＣチップ１１０ａ，１１０ｂが搭載される領域についてその面とは反対側の面から紫外線を照射することにより接着剤を溶融させて樹脂シート１２０とＩＣチップ１１０ａ，１１０ｂとを接着する。ただし、紫外線硬化型接着剤を上述したように用いる場合は、樹脂シート１２０を、紫外線を透過する材料から構成し、かつ、他方のＩＣチップに紫外線が照射されないようにする必要がある。
【００３０】
上記のように構成されたスレッドにおいては、例えば、一方の面に接着剤（不図示）が塗布され、有価証券や紙幣等に貼付されて利用される。
【００３１】
スレッドが貼付された有価証券や紙幣等を、上述した情報書込／読出装置に近接させると、例えば、ＩＣチップ１１０ａ，１１０ｂに書き込まれた情報が読み出され、読み出された情報に基づいて、有価証券や紙幣等の真贋判定が行われることになる。なお、ＩＣチップ１１０ａ，１１０ｂにおいては、上述したようにＩＣチップ１１０ａ，１１０ｂに書き込まれた情報のみによって真贋判定が行われる場合、ＩＣチップ１１０ａ，１１０ｂに書き込まれた情報が非接触状態にて読み出される構成であればよいが、さらに、情報書込／読出装置に近接させることにより非接触状態にて情報の書き込みが可能な構成を有するものであってもよい。
【００３２】
また、図２に示したようなスレッドを有価証券や紙幣等に貼付するのではなく、有価証券や紙幣の紙層内にスレッドを漉き込んで使用することも考えられる。その場合、例えば、多槽式円網抄紙機を用いて少なくとも２層の紙層から製造される抄紙を有価証券や紙幣等として使用し、有価証券や紙幣等の製造時に紙層間にスレッドを漉き込んでおく。このようにスレッドが漉き込まれた有価証券や紙幣等においても、上述したものと同様にして利用される。また、複数の紙が積層されてなる有価証券や紙幣等においても、積層される紙の間にスレッドを挟み込んで使用することも考えられる。
【００３３】
また、有価証券や紙幣等に凹部を形成しておき、図２に示したようなスレッドをこの凹部に嵌め込むことも考えられる。このようにスレッドが嵌め込まれた有価証券や紙幣等においても、上述したものと同様にして利用される。
【００３４】
なお、図２に示したようなスレッドは、上述したように有価証券や紙幣等に限らず、シート状のものに対して、上述したように貼付されたり、漉き込まれたり、挟み込まれたり、あるいは嵌め込まれたりすることにより、シートに組み込まれて使用される。
【００３５】
上述したように本形態においては、樹脂シート１２０に２つのＩＣチップ１１０ａ，１１０ｂが搭載されているため、ＩＣチップ１１０ａ，１１０ｂのうち一方が動作不良のものであった場合や、このスレッドを有価証券や紙幣等に組み込む際にＩＣチップ１１０ａ，１１０ｂのうち一方が破損してしまった場合であっても、ＩＣチップ１１０ａ，１１０ｂのうち他方のＩＣチップに対する情報の書き込み及び読み出しは可能であり、それにより、有価証券や紙幣等の真贋判定を行うことができる。また、２つのＩＣチップ１１０ａ，１１０ｂが、帯状の樹脂シート１２０の長手方向中心線を中心として対象となるように樹脂シート１２０上に搭載されているので、スレッドの長手方向両端部から等しい距離にＩＣチップ１１０ａ，１１０ｂが存在することになり、それにより、情報書込／読出装置の設置位置をスレッドの長手方向一端からＩＣチップ１１０ａ，１１０ｂのいずれか近い方までの距離に合わせておけば、スレッドがどのような向きで有価証券や紙幣等に組み込まれてもＩＣチップ１１０ａ，１１０ｂのいずれか一方に対する情報の書き込み及び読み出しが可能となり、有価証券や紙幣等の真贋判定を行うことができる。また、２つのＩＣチップ１１０ａ，１１０ｂが、帯状の樹脂シート１２０の互いに異なる面に搭載されているので、このスレッドが組み込まれた有価証券や紙幣等の真贋判定を行う場合に、情報書込／読出装置の設置位置において生じる制約が低減する。
【００３６】
なお、上述した２つの実施の形態においては、樹脂シート２０，１２０上にそれぞれ２つのＩＣチップ１０ａ，１０ｂ，１１０ａ，１１０ｂが搭載されて構成されているが、樹脂シート２０，１２０上に搭載されるＩＣチップ１０ａ，１０ｂ，１１０ａ，１１０ｂの数は複数であれば２つに限らず（図２に示したものにおいては、樹脂シート１２０の表裏それぞれに少なくとも１つ）、樹脂シート２０，１２０上に搭載されるＩＣチップの数が多ければそれだけ、スレッドの信頼性が向上するとともに、このスレッドが組み込まれた有価証券や紙幣等の真贋判定を行う場合に、情報書込／読出装置の設置位置において生じる制約が低減することになる。
【００３７】
また、上述した２つの実施の形態においては、ＩＣチップ１０ａ，１０ｂ，１１０ａ，１１０ｂがそれぞれ搭載されるシート基材として、ＰＥＴやＰＥＴ−ＧやＰＶＣ等からなる樹脂シート２０，１２０を用いることによりスレッドの機械的強度が向上しているが、シート基材として紙や不織布からなるものを用いれば、スレッドと有価証券や紙幣等との接着性を向上させることができる。
【００３８】
（第３の実施の形態）
図３は、本発明のスレッドの第３の実施の形態を示す図であり、（ａ）は上面図、（ｂ）は（ａ）に示したＡ−Ａ’断面図である。
【００３９】
本形態は図３に示すように、帯状の樹脂シート２２１ａ，２２１ｂが導電性接着剤２２によって互いに接着されてなるシート基材であるベース基材２２０に対して、一方の面となる樹脂シート２２１ａ上にＩＣチップ２１０ａが搭載され、また、他方の面となる樹脂シート２２１ｂ上にＩＣチップ２１０ｂが搭載されて構成されている。なお、樹脂シート２２１ａ，２２１ｂの材質としては、ＰＥＴやＰＥＴ−ＧやＰＶＣ等が考えられる。また、ＩＣチップ２１０ａ，２１０ｂにおいては、非接触状態にて情報の読み出しが可能なものであって、外部に設けられた情報書込／読出装置に近接させることにより、ＩＣチップ２１０ａ，２１０ｂに書き込まれた情報が読み出される。さらに、この２つのＩＣチップ２１０ａ，２１０ｂは、シート基材２２０の長手方向中心線を中心として互いに対象となるように樹脂シート２１０ａ，２１０ｂにそれぞれ搭載されている。
【００４０】
また、ＩＣチップ２１０ａ，２１０ｂは、接着剤（不図示）によって樹脂シート２２１ａ，２２１ｂにそれぞれ接着されているが、その接着方法としては、樹脂シート２２１ａ，２２１ｂのＩＣチップ２１０ａ，２１０ｂが搭載される領域のみに接着剤を塗布しておき、接着剤が塗布された領域にＩＣチップ２１０ａ，２１０ｂを搭載する方法や、樹脂シート２２１ａ，２２１ｂのＩＣチップ２１０ａ，２１０ｂが搭載される面の全面に接着剤を塗布しておき、その後、樹脂シート２２１ａ，２２１ｂ上にＩＣチップ２１０ａ，２１０ｂを搭載する方法が考えられる。また、樹脂シート２２１ａ，２２１ｂ上にＩＣチップ２１０ａ，２１０ｂを固定するための接着剤としては、ホットメルト糊等の熱可塑性接着剤が考えられ、その場合は、樹脂シート２２１ａ，２２１ｂ上にＩＣチップ２１０ａ，２１０ｂをそれぞれ搭載した際に樹脂シート２２１ａ，２２１ｂに対してＩＣチップ２１０ａ，２１０ｂを加圧しながら加熱することにより接着剤を溶融させて樹脂シート２２１ａ，２２１ｂとＩＣチップ２１０ａ，２１０ｂとを接着する。
【００４１】
上記のように構成されたスレッドにおいては、例えば、一方の面に接着剤（不図示）が塗布され、有価証券や紙幣等に貼付されて利用される。
【００４２】
スレッドが貼付された有価証券や紙幣等を、上述した情報書込／読出装置に近接させると、例えば、ＩＣチップ２１０ａ，２１０ｂに書き込まれた情報が読み出され、読み出された情報に基づいて、有価証券や紙幣等の真贋判定が行われることになる。なお、ＩＣチップ２１０ａ，２１０ｂにおいては、上述したようにＩＣチップ２１０ａ，２１０ｂに書き込まれた情報のみによって真贋判定が行われる場合、ＩＣチップ２１０ａ，２１０ｂに書き込まれた情報が非接触状態にて読み出される構成であればよいが、さらに、情報書込／読出装置に近接させることにより非接触状態にて情報の書き込みが可能な構成を有するものであってもよい。
【００４３】
また、図３に示したようなスレッドを有価証券や紙幣等に貼付するのではなく、有価証券や紙幣の紙層内にスレッドを漉き込んで使用することも考えられる。その場合、例えば、多槽式円網抄紙機を用いて少なくとも２層の紙層から製造される抄紙を有価証券や紙幣等として使用し、有価証券や紙幣等の製造時に紙層間にスレッドを漉き込んでおく。このようにスレッドが漉き込まれた有価証券や紙幣等においても、上述したものと同様にして利用される。また、複数の紙が積層されてなる有価証券や紙幣等においても、積層される紙の間にスレッドを挟み込んで使用することも考えられる。
【００４４】
また、有価証券や紙幣等に凹部を形成しておき、図３に示したようなスレッドをこの凹部に嵌め込むことも考えられる。このようにスレッドが嵌め込まれた有価証券や紙幣等においても、上述したものと同様にして利用される。
【００４５】
なお、図３に示したようなスレッドは、上述したように有価証券や紙幣等に限らず、シート状のものに対して、上述したように貼付されたり、漉き込まれたり、挟み込まれたり、あるいは嵌め込まれたりすることにより、シートに組み込まれて使用される。
【００４６】
上述したように本形態においては、ベース基材２２０を構成する樹脂シート２２１ａ，２２１ｂにそれぞれＩＣチップ２１０ａ，２１０ｂが搭載されているため、ＩＣチップ２１０ａ，２１０ｂのうち一方が動作不良のものであった場合や、このスレッドを有価証券や紙幣等に組み込む際にＩＣチップ２１０ａ，２１０ｂのうち一方が破損してしまった場合であっても、ＩＣチップ２１０ａ，２１０ｂのうち他方のＩＣチップに対する情報の書き込み及び読み出しは可能であり、それにより、有価証券や紙幣等の真贋判定を行うことができる。また、２つのＩＣチップ２１０ａ，２１０ｂが、帯状のベース基材２２０の長手方向中心線を中心として対象となるように樹脂シート２２１ａ，２２１ｂ上に搭載されているので、スレッドの長手方向両端部から等しい距離にＩＣチップ２１０ａ，２１０ｂが存在することになり、それにより、情報書込／読出装置の設置位置をスレッドの長手方向一端からＩＣチップ２１０ａ，２１０ｂのいずれか近い方までの距離に合わせておけば、スレッドがどのような向きで有価証券や紙幣等に組み込まれてもＩＣチップ２１０ａ，２１０ｂのいずれか一方に対する情報の書き込み及び読み出しが可能となり、有価証券や紙幣等の真贋判定を行うことができる。また、２つのＩＣチップ２１０ａ，２１０ｂが、帯状のベース基材２２０の互いに異なる面に搭載されているので、このスレッドが組み込まれた有価証券や紙幣等の真贋判定を行う場合に、情報書込／読出装置の設置位置において生じる制約が低減する。
【００４７】
また、本形態においては、樹脂シート２２１ａ，２２１ｂが導電性接着剤２２２によって接着され、この樹脂シート２２１ａ，２２１ｂのそれぞれにＩＣチップ２１０ａ，２１０ｂが搭載されているため、ＩＣチップ２１０ａ，２１０ｂに対して情報の書き込み及び読み出しを行う情報書込／読出装置が樹脂シート２２１ａ側に対向するように設置された場合は、情報書込／読出装置によって、ＩＣチップ２１０ａに対して情報の書き込み及び読み出しを行うことができるものの、ＩＣチップ２１０ｂに対して情報の書き込み及び読み出しを行うことはできない。また、情報書込／読出装置が樹脂シート２２１ｂ側に対向するように設置された場合は、情報書込／読出装置によって、ＩＣチップ２１０ｂに対して情報の書き込み及び読み出しを行うことができるものの、ＩＣチップ２１０ａに対して情報の書き込み及び読み出しを行うことはできない。これを利用して、ＩＣチップ２１０ａ，２１０ｂに互いに異なる情報を書き込んでおき、情報書込／読出装置がスレッドと対向する面に応じて異なる処理を行うことも考えられる。
【００４８】
なお、本形態においては、樹脂シート２２１ａ，２２１ｂ上にそれぞれ１つずつのＩＣチップ２１０ａ，２１０ｂが搭載されて構成されているが、本発明は、樹脂シート２２１ａ，２２１ｂ上にそれぞれ少なくとも１つずつのＩＣチップが搭載されていればよく、樹脂シート２２１ａ，２２１ｂ上に搭載されるＩＣチップの数が多ければそれだけ、スレッドの信頼性が向上するとともに、このスレッドが組み込まれた有価証券や紙幣等の真贋判定を行う場合に、情報書込／読出装置の設置位置において生じる制約が低減することになる。
【００４９】
また、本形態においては、ベース基材２２０を、ＰＥＴやＰＥＴ−ＧやＰＶＣ等からなる樹脂シート２２１ａ，２２１ｂから構成しているが、樹脂シート２２１ａ，２２１ｂの一方の代わりに紙や不織布からなるものを用い、この面をスレッドと有価証券や紙幣等との接着面とすれば、樹脂シートによる機械的強度を維持しながらも、スレッドと有価証券や紙幣等との接着性を向上させることができる。
【００５０】
また、本形態においては、２つの樹脂シート２２１ａ，２２１ｂが積層された構成としているが、２つの樹脂シート２２１ａ，２２１ｂのうち少なくとも一方を樹脂シートとすることにより、他の紙層に漉き込む場合や、接着させる場合に、搬送中のシートのねじれや破断を防止できる。また、２つの樹脂シート２２１ａ，２２１ｂのうち一方を、紙や不織布からなるものとすれば、他の紙層に漉き込んだ場合や、接着させた場合に、フィルム等と比較して接着性が向上し剥がれにくくなる。従って、積層される２つの層のうち一方を樹脂、他方を紙や不織布からものとすることにより、シートのねじれや破断を防止できると共に、接着性が向上し剥がれにくくなるという効果を奏する。また、接着性の向上のみが必要な場合には、積層される２つの層を紙や不織布からなるものとすることも考えられ、また、機械的強度を向上するためには、積層される２つの層を、上述した実施の形態のように樹脂シートとすることが考えられる。
【００５１】
また、本形態においては、ＩＣチップ２１０ａ，２１０ｂが表出するように２枚の樹脂シート２２１ａ，２２１ｂが接着されているが、ＩＣチップ２１０ａ，２１０ｂが接着面側に配置されるように互いに接着することにより、ＩＣチップ２１０ａ，２１０ｂが露出することがなくなり、外部応力による破損が低減される。
【００５２】
また、上述した３つの実施の形態において、樹脂シート上に搭載される複数のＩＣチップのうち少なくとも１つを異なる仕様（例えば共振周波数や通信仕様）のものを使用することも考えられる。このようにすることで、１つのＩＣスレッドを異なるアプリケーション（仕様の異なる読取装置）で利用可能であり、また、障害物等により共振周波数に変化が生じても読み取りを行うことが可能となる。
【図面の簡単な説明】
【００５３】
【図１】本発明のスレッドの第１の実施の形態を示す図であり、（ａ）は上面図、（ｂ）は（ａ）に示したＡ−Ａ’断面図である。
【図２】本発明のスレッドの第２の実施の形態を示す図であり、（ａ）は上面図、（ｂ）は（ａ）に示したＡ−Ａ’断面図である。
【図３】本発明のスレッドの第３の実施の形態を示す図であり、（ａ）は上面図、（ｂ）は（ａ）に示したＡ−Ａ’断面図である。
【符号の説明】
【００５４】
１０ａ，１０ｂ，１１０ａ，１１０ｂ，２１０ａ，２１０ｂ    ＩＣチップ
２０，１２０，２２１ａ，２２１ｂ    樹脂シート
２２０    ベース基材
２２２    導電性接着剤
【図１】
2005209104.tif 000003
【図２】
2005209104.tif 000004
【図３】
2005209104.tif 000005